(57)【要約】ガイドワイヤ又はガイドカテーテルのような細長い部材１８に沿った血管内装置３６の移動を制限するための固定機構が開示されている。固定機構は、ロック位置とロックされていない位置の間にて動作される板バネ１２を含み得る。ロックされていない位置において、板バネは細長い部材の周囲に摺動可能かつ回動可能に配置される。ロック位置において、板バネは細長い部材に解放可能に固定され、移動を阻止する。板バネは血管内装置に直接取り付けられるか又は独立した部材として形成され、かつ該血管内装置が細長い部材に沿って移動することを制限する停止機構として使用される。
2006521876.tif 000002
【特許請求の範囲】
【請求項１】
細長い部材に沿って体腔内に配置された血管内装置の移動を制限するための固定機構において、前記固定機構は、
ロックされていない位置とロック位置との間にて動作可能な板バネからなり、前記板バネは、前記ロックされていない位置においては前記細長い部材を摺動可能かつ回動可能に受承し、かつ前記ロック位置においては前記細長い部材と摩擦にて係合するように構成された少なくとも開口部を有する可撓性本体からなる、固定機構。
【請求項２】
前記細長い部材はガイドワイヤである請求項１に記載の固定機構。
【請求項３】
前記細長い部材はガイドカテーテルである請求項１に記載の固定機構。
【請求項４】
前記板バネは前記細長い部材に沿って停止機構として作用する請求項１に記載の固定機構。
【請求項５】
前記板バネは前記血管内装置に取り付けられているか、または該血管内装置と一体的に形成されている請求項１に記載の固定機構。
【請求項６】
前記可撓性本体は、第一の平坦な領域と、屈曲領域と、第二の平坦な領域とからなる請求項１に記載の固定機構。
【請求項７】
前記板バネは複数の板バネである請求項１に記載の固定機構。
【請求項８】
前記少なくとも一つの開口部は楕円形である請求項１に記載の固定機構。
【請求項９】
前記可撓性本体は少なくとも一つの刻み目領域を含む請求項１に記載の固定機構。
【請求項１０】
請求項１に記載の固定機構は、前記ロックされていない位置と前記ロック位置のいずれにおいても前記細長い部材に対して垂直に整合するように構成された開口部を有する基端側平坦領域を前記可撓性本体上に更に含む固定機構。
【請求項１１】
前記基端側平坦領域は中心ブッシングを含む請求項１０に記載の固定機構。
【請求項１２】
前記板バネは金属から形成される請求項１に記載の固定機構。
【請求項１３】
前記板バネはポリマー材料から形成される請求項１に記載の固定機構。
【請求項１４】
前記板バネは超弾性材料から形成される請求項１に記載の固定機構。
【請求項１５】
前記ロックされていない位置と前記ロック位置との間にて前記板バネを作動するための手段を更に含む請求項１に記載の固定機構。
【請求項１６】
前記板バネを作動するための手段は係止管を含む請求項１５に記載の固定機構。
【請求項１７】
前記係止管は屈曲可能な係止タブを含む請求項１６に記載の固定機構。
【請求項１８】
前記板バネは超弾性材料から形成される請求項１に記載の固定機構。
【請求項１９】
細長い部材に沿って体腔内に配置された血管内装置の移動を制限するための固定機構において、前記固定機構は、
ロックされていない位置とロック位置との間にて動作可能な板バネからなり、前記板バネは少なくとも一つの屈曲領域と複数の平坦領域とを有する通常は平坦かつ可撓性の本体からなり、前記複数の平坦領域の各々が、前記ロックされていない位置においては前記細長い部材を摺動可能かつ回動可能に受承し、かつ前記ロック位置においては前記細長い部材と摩擦にて係合するように構成された少なくとも開口部を有する、固定機構。
【請求項２０】
前記細長い部材はガイドワイヤである請求項１９に記載の固定機構。
【請求項２１】
前記細長い部材はガイドカテーテルである請求項１９に記載の固定機構。
【請求項２２】
前記板バネは前記細長い部材に沿って停止機構として作用する請求項１９に記載の固定機構。
【請求項２３】
前記板バネは前記血管内装置に取り付けられているか、または該血管内装置と一体的に形成されている請求項１９に記載の固定機構。
【請求項２４】
前記板バネは単一の板バネである請求項１９に記載の固定機構。
【請求項２５】
前記板バネは複数の板バネである請求項１９に記載の固定機構。
【請求項２６】
前記開口部は楕円形の開口部である請求項１９に記載の固定機構。
【請求項２７】
前記可撓性本体は少なくとも一つの刻み目領域を含む請求項１９に記載の固定機構。
【請求項２８】
請求項１９に記載の固定機構は、前記ロックされていない位置と前記ロック位置のいずれにおいても前記細長い部材に対して垂直に整合するように構成された開口部を有する基端側平坦領域を前記可撓性本体上に更に含む固定機構。
【請求項２９】
前記基端側平坦領域は中心ブッシングを含む請求項２８に記載の固定機構。
【請求項３０】
前記板バネは金属から形成される請求項１９に記載の固定機構。
【請求項３１】
前記板バネはポリマー材料から形成される請求項１９に記載の固定機構。
【請求項３２】
前記板バネは超弾性材料から形成される請求項１９に記載の固定機構。
【請求項３３】
前記ロックされていない位置と前記ロック位置との間にて前記板バネを作動するための手段を更に含む請求項１９に記載の固定機構。
【請求項３４】
前記板バネを作動するための手段は係止管を含む請求項３３に記載の固定機構。
【請求項３５】
前記係止管は屈曲可能な係止タブを含む請求項３４に記載の固定機構。
【請求項３６】
細長い部材に沿って体腔内に配置された血管内装置の移動を制限するための固定機構において、前記固定機構は、
ロックされていない位置とロック位置との間にて動作可能な板バネからなり、前記板バネは少なくとも一つの屈曲領域と複数の平坦な部材とを有する通常は平坦かつ可撓性の本体からなり、前記複数の平坦な部材の各々は前記ロック位置において前記細長い部材を把持するために構成された一つ以上の接触点を定義する開口部を有する、固定機構。
【請求項３７】
細長い部材に沿って体腔内に配置された血管内装置の移動を制限するための固定機構において、前記固定機構は、
ロックされていない位置とロック位置との間にて動作可能な板バネからなり、前記板バネは、前記ロックされていない位置においては前記細長い部材を摺動可能かつ回動可能に受承し、かつ前記ロック位置においては前記細長い部材と摩擦により係合するように構成された少なくとも一つの開口部を有する可撓性かつ波形の本体からなる、固定機構。
【請求項３８】
細長い部材に沿って体腔内に配置された血管内装置の移動を制限するための固定機構において、前記固定機構は、
ロックされていない位置とロック位置との間にて動作可能な板バネと、前記板バネは前記ロックされていない位置においては前記細長い部材を摺動可能かつ回動可能に受承し、かつ前記ロック位置においては前記細長い部材と摩擦により係合するように構成された少なくとも一つの開口部を有する可撓性本体からなることと、
前記ロックされていない位置と前記ロック位置との間にて前記板バネを動作するように構成された係止管と、
からなる、固定機構。
【請求項３９】
血管内フィルタ装置であって、
細長い部材の周囲に配置されたフィルタフレームと、
前記フィルタフレームに動作可能に連結されるフィルタ膜と、
前記フィルタフレームに取り付けられる板バネとからなる血管内フィルタ装置において、
前記板バネは前記ロックされていない位置においては前記細長い部材を摺動可能かつ回動可能に受承し、かつ前記ロック位置においては前記細長い部材と摩擦により係合するように構成された少なくとも一つの開口部を有する可撓性本体からなる血管内フィルタ装置。
【請求項４０】
血管内フィルタ装置において、
細長い部材の周囲に配置されたフィルタフレームと、
前記フィルタフレームに動作可能に連結されるフィルタ膜と、前記フィルタ膜は折り畳まれた位置と拡大された位置との間にて拡大可能であることと、
前記フィルタフレームに取り付けられる板バネと、前記板バネは前記ロックされていない位置においては前記細長い部材を摺動可能かつ回動可能に受承し、かつ前記ロック位置においては前記細長い部材と摩擦により係合するように構成された少なくとも一つの開口部を有する可撓性本体からなることと、
前記ロックされていない位置と前記ロック位置との間にて前記板バネを動作するように構成された係止管と、
前記フィルタ膜を折り畳まれた位置にて包含するように構成された送達シースと、
からなる血管内フィルタ装置。
【発明の詳細な説明】
【技術分野】
【０００１】
本発明は血管内装置の固定機構に関する。より詳細には、本発明は、細長い部材に沿って体腔の内部に配置される血管内装置の移動を制限するための固定機構に関する。
【背景技術】
【０００２】
血管形成術、アテローム切除術及びステント配置のような閉塞した血管による疾病を治療するための医療処置は、種々の血管内装置の挿入及び引き続く除去を日常的に伴う。例えば、血管形成術の処置において、医師は典型的には、取り付けられた塞栓保護フィルタを備えたガイドワイヤを体内の所望の位置に前進させ、引き続いて、病巣から塞栓性の残骸又は血栓を除去するためにバルーンカテーテルを展開する。幾らかの例において、医師は、処置時において一つ以上の装置を展開することを望む場合がある。例えば、最初の塞栓保護フィルタが血管形成術による処置時に除去されるべき残骸にて閉塞された場合、医師はガイドワイヤの位置を保持しながら閉塞したフィルタを第二のフィルタと置き換えることを望むかもしれない。
【発明の開示】
【発明が解決しようとする課題】
【０００３】
本発明は、患者の血管内に配置されたガイドワイヤに血管内装置を解放可能に固定するための固定機構に関する。
【課題を解決するための手段】
【０００４】
本発明の例示的な実施形態において、固定機構はロックされていない位置とロック位置との間にて動作可能な板バネからなる。板バネは、開口部により定義される一つ以上の接触領域にて、細長い部材を受承及び把持するように構成された少なくとも一つの開口部を有する通常は平坦かつ可撓性の本体からなる。ある実施形態において、該可撓性本体は第一の平坦領域と、第二の平坦領域と、両平坦領域の間に配置されるとともに第二の平坦領域に対して第一の平坦領域を屈曲可能となるように構成された屈曲領域とを含む。その他の実施形態において、可撓性本体は複数の平坦領域を共に連結するために複数の交互の屈曲領域を交互に有する複数の板バネからなる。
【０００５】
板バネは、該板バネに特定の可撓性を与えるために一つ以上の刻み目（ｉｎｄｅｎｔａｔｉｏｎ）を含み得る。例えば、ある実施形態において、板バネは各屈曲領域に、又は該屈曲領域付近に、刻み目領域を含み、該屈曲領域における板バネのより大きな屈曲を可能にするとともにバネのプロファイルを低減する。細長い部材に対して垂直に整合するように構成された板バネの基端側及び／又は先端側の平坦領域は、該細長い部材に沿った該板バネの適切な整合を確実に達成するために使用される。
【０００６】
使用時において、該板バネは血管内装置に直接取り付けられ、該血管内装置を細長い部材に解放可能に固定することができる。これに代えて、板バネは独立した部材として形成され、かつ該血管内装置の細長い部材に沿った移動を制限するための停止機構として使用され得る。該細長い部材の周囲に摺動可能に配置される係止管は体内のロック位置とロックされていない位置との間にて該板バネを動作するために使用され得る。ある例示的な実施形態において、係止管は、操作者が係止管を後退させ、かつ板バネを係合することを可能にするように構成された屈曲可能な係止タブを含み得る。
【発明を実施するための最良の形態】
【０００７】
以下の記載は図面を参照して理解されるべきであり、該図面において、複数の図全体において同一の参照符号は同一の部材を示す。詳細な説明及び図面はクレームされた発明の例示的な実施形態を示す。スケールが不必要である図面は、複数の実施形態を示しているが、本発明の範囲を制限することを意図していない。構成、寸法、材料及び製造工程の実施例は種々の部材に関して示されているが、提供された実施例の多くが使用可能な適切な代替物を有することは当業者に理解されるであろう。
【０００８】
図１は、本発明の例示的な実施形態に従う固定機構１０の斜視図である。固定機構１０は、複数の開口部１４、１６を有する板バネ１２からなり、該開口部はガイドワイヤ又はガイドカテーテルのような細長い部材１８を貫通して摺動可能かつ回動可能に受承するように構成される。板バネ１２は予め湾曲した可撓性本体２０からなり、該本体２０は、図１の矢印Ｆにて示されるように、細長い部材１８が上下二連式の形態（ｏｖｅｒ−ｕｎｄｅｒ  ｃｏｎｆｉｇｕｒａｔｉｏｎ）にて開口部１４、１６に挿入され、かつ板バネ１２の端部に圧縮力が適用される場合、変形する。
【０００９】
板バネ１２は、血管内装置（図示しない）の細長い部材１８に沿った移動を回避するためにロックされていない位置とロック位置との間にて動作される。板バネ１２は血管内装置の細長い部材１８に沿った移動を回避又は制限するために基端側又は先端側停止部として使用され得るか、又は血管内装置に取り付けられる若しくは該血管内装置と一体的に形成され、かつ例えば図３に示されるように、該血管内装置を細長い部材１８に直接固定するための手段として使用され得る。図１に示される例示的な実施形態において、板バネ１２は、血管内装置（例えば、塞栓保護フィルタ又はプローブ）の細長い部材１８に沿った移動を制限するための基端側又は先端側停止部として作用するように構成される独立した部材として示される。
【００１０】
可撓性本体２０は第一の平坦な領域２２、屈曲領域２４及び第二の平坦な領域２６を含み得る。可撓性本体２０の第一の平坦な領域２２は、細長い部材１８の長手軸に対して先端側に傾斜され、かつ第一の開口部１４を含む。次に、可撓性本体２０の第二の平坦な領域２６は、細長い部材１８の長手軸に対して基端側に傾斜され、かつ第二の開口部１６を含む。可撓性本体２０の第一及び第二の平坦な領域２２、２６は、細長い部材１８の長手軸と平行に作用するとともに該細長い部材１８から板バネ１２を解放させる方向に第一及び第二の開口部１４、１６を配向させる内向きに向かう応力Ｆにさらされた場合、該屈曲領域２４の周囲にて屈曲又は撓むように構成されている。
【００１１】
板バネ１２は、金属、金属合金、ポリマー、又はそれらの組み合わせを含む任意の数の適切な生物学的適合性を備えた材料から形成され得る。例えば、板バネ１２はステンレス鋼（例えば、タイプ３０４若しくは３１６）、白金、チタン、タンタルのような金属若しくは金属合金又はその他の適切な材料からなる。適切なポリマー材料の例は、ポリエチレンテレフタレート（ＰＥＴ）、ポリテトラフルオロエチレン（ＰＴＦＥ）、ポリウレタン（ナイロン）フッ素化エチレンプロピレン（ＦＥＰ）、ポリウレタン、ポリプロピレン（ＰＰ）、ポリ塩化ビニル（ＰＶＣ）、ポリエーテル−エステル、ポリエステル、ポリアミド、エラストマー性ポリアミド、ブロックポリアミド／エーテル、ポリエーテルブロックアミド（ＰＥＢＡ）、シリコン、ポリエチレン、ポリエーテル−エーテルケトン（ＰＥＥＫ）、ポリイミド（ＰＩ）及びポリエーテルイミド（ＰＥＩ）が含まれる。ポリエーテルブロックアミド（ＰＥＢＡ）はペンシルバニア州バーズボロ（Ｂｉｒｓｄｂｏｒｏ）に所在のアトケムポリマーズ（Ａｔｏｃｈｅｍ  Ｐｏｌｙｍｅｒｓ）社から、ＰＥＢＡＸの商標名にて市販されている。
【００１２】
ある実施形態において、板バネ１２はニッケルチタン合金のような超弾性又は線形弾性材料から形成され、板バネ１２を比較的小さな応力にて実質的に屈曲した状態とすることを可能にする。超弾性材料からなる板バネ１２は、特に該板バネ１２がロック位置とロックされていない位置との間にて繰り返し屈曲されるような適用において、該板バネ１２がより大きく屈曲することを可能にする。
【００１３】
図１に更に示されるように、板バネ１２は可撓性本体２０の刻み目領域２８により形成される波形を備え得る。刻み目領域２８における幅の減少は、特定の用途に応じて屈曲領域２４において板バネ１２に特定の可撓性を与えるように選択され得る。例えば、刻み目領域２８における可撓性本体１８の幅は、第一及び第二の平坦な領域２０、２６の幅と比べて比較的小さく、屈曲領域２４の周囲における板バネ１２のより大きな屈曲を可能にする。
【００１４】
図２は図１に示した線２−２に沿った板バネ１２の図であり、ロックされていない位置における該板バネ１２の端面図を示す。図２に示されるように、開口部１４は楕円形であり、長径Ａと短径Ｂとを有する。開口部１４の長径Ａの二つの接触領域３０、３２は、ロック位置においては細長い部材１８と接触するように構成されているが、板バネ１２が長手方向に圧縮された場合には各接触領域３０、３２の間に小さな間隙３４を形成し、該細長い部材１８がその内部を貫通可能となるように十分離間される。図２の点線にて示される開口部１６は、開口部１４と同様の寸法を備え、可撓性本体２０の第二の平坦な領域２６において第二組の接触領域を提供する。
【００１５】
開口部１４、１６の寸法は、多様に寸法化された細長い部材１８の通路を許容するように選択される。例えば、開口部１４、１６の直径は、当業者により使用される従来からの多くのガイドワイヤのサイズに対応して、例えば０．２０３２乃至０．９３９８ｍｍ（０．００８乃至０．０３７インチ）の外径、より詳細には０．３５５６乃至０．４５７２ｍｍ（０．０１４乃至０．０１８インチ）の外径を有する細長い部材を受承するように構成され得る。更に、開口部１４、１６は楕円形として描かれているが、その他の形態も可能であることを当業者は認識するであろう。
【００１６】
図３は塞栓保護フィルタ３６を取り付けたロックされていない位置（即ち、圧縮された位置）における板バネ１２を示す部分断面図である。塞栓保護フィルタ３６はフィルタフレーム４０に連結される拡大可能なフィルタ膜３８を含む。フィルタフレーム４０はワイヤループ４２又はその他適切な支持機構から形成され、図示された例示的な実施形態においては板バネ１２の第三の平坦な領域４６に取り付けられた支持管４４を含む。支持管４４は、板バネ１２がロックされていない位置にある場合には細長い部材１８の周囲に摺動可能かつ回動可能に配置され、ロック位置にある場合には該細長い部材１８に解放可能に固定される。
【００１７】
図３に更に示されるように、圧縮力Ｆが板バネ１２を内向きに圧縮するように長手方向に適用された場合、第一及び第二の平坦な領域２２、２６は屈曲領域２４の周囲にて屈曲するか、又は撓み、細長い部材１８の長手軸に対してより大きな角度にて開口部１４、１６を配向させ、開口部１４、１６の周囲と細長い部材１８の外面との間に小さな間隙３４を形成する。この位置において、塞栓保護フィルタ３６及び取り付けられた板バネ１２は細長い部材１８に沿って移動し、患者の体内の所望の位置に配置される。例えば、血管形成術の処置において、塞栓保護フィルタ３６は、体腔内に配置された病巣の先端側の位置まで細長い部材１８に沿って進められる。次いで、板バネ１２は細長い部材１８上にロックされ、細長い部材１８に沿って進められた治療用装置が、塞栓保護フィルタ３６の基端側の位置にて経皮経管冠状動脈形成術（ＰＴＣＡ）のような治療処置を実施する。治療処置の結果において、又は塞栓保護フィルタ３６が閉塞した場合、板バネ１２は細長い部材１８から解放され、身体から除去される。
【００１８】
図４は細長い部材１８に沿ったロック位置（即ち、圧縮されていない位置）における板バネ１２を示す部分断面図である。板バネ１２に作用する圧縮力が存在していないので、可撓性本体２０の第一及び第二の平坦な領域２２、２６は自然な状態に復帰し、細長い部材１８と摩擦的に係合する。図４に示されるように、第一の平坦な領域２２は細長い部材１８の長手軸に更に平行となる方向において先端側に傾斜して、第一の開口部１４の円周の周囲に第一組の接触点４８、５０を形成する。同様に、第二の平坦な領域２６は細長い部材１８の長手軸に更に平行となる方向において、基端側に傾斜して、第二の開口部１６の円周の周囲に第二組の接触点５２、５４を形成する。使用時において、第一組及び第二組の接触点４８、５０、５２、５４は細長い部材１８を把持し、該細長い部材１８が第一及び第二の開口部１４、１６を貫通して移動することを回避する。
【００１９】
図５を参照すると、本発明の別の例示的な実施形態に従う固定機構１１０が記載されている。該固定機構１１０はガイドワイヤ又はガイドカテーテルのような細長い部材１１８を摺動可能かつ回動可能に受承するように構成された複数の開口部１６２を有する複数の板バネ１１２からなる。複数の板バネ１１２は通常、平坦な可撓性本体１５８からなり、該本体１５８は、細長い部材１１８の長手軸とほぼ平行な方向に圧縮された場合、曲がりくねった、又は鋸歯状の形状に偏向される。
【００２０】
本明細書に記載されるその他の実施形態として、複数の板バネ１１２は可撓性本体１５８の一つ以上の刻み目領域１６０により形成された波形を有する。加えて、複数の板バネ１１２を形成するために使用される材料は、装置に特定の可撓性を与えるように選択される。複数の板バネ１１２は、独立した部材として形成され、かつ図５に示されるように基端又は先端停止部として使用され得るか、或いは、該装置を細長い部材１１８に直接固定して血管内装置に取り付けられるか、若しくは該血管内装置と一体的に形成される。
【００２１】
可撓性本体１５８は複数の細長い領域１６６からなり、該領域１６６の各々はロックされていない位置にて細長い部材１１６を摺動可能に受承するとともにロック位置においては該細長い部材１１８と摩擦的に係合するように構成された開口部１６２を有する。各開口部１６２は図２に示される開口部１４、１６と同様に構成され、該複数の板バネ１１２がロック位置にある場合該細長い部材１１８を把持する開口部１６２の長径に沿って二つの接触領域を定義する。
【００２２】
可撓性本体１５８は更に、代替的な様式にて複数の細長い領域１６６を共に連結する複数の屈曲領域１６４からなり、交互に存在する細長い領域１６６の各々は互いにほぼ平行に延びている。細長い領域１６６の各々は、屈曲領域１６４に対して先端側又は基端側のいずれかの方向に屈曲するように構成され、圧縮されていない（即ち、ロックされている）位置へ復帰された場合、曲がりくねった又は鋸歯状の形状となり得る。図５に示される例示的な実施形態において、可撓性本体１５８は８つの交互に屈曲する領域１６４からなる。しかしながら、任意の数の屈曲部６４及び／又は細長い領域１６６が使用可能であることは理解されるべきである。
【００２３】
複数の板バネ１１２の基端側の平坦な領域１６８は、ロック位置及びロックされていない位置のいずれにおいても細長い部材１１８に対して垂直に整列されるように構成される。基端側の平坦な領域１６８は細長い部材１１８の外径よりわずかに大きい内径を有する開口部を含み、該細長い部材１１８にすきまばめ（ｃｌｅａｒａｎｃｅ  ｆｉｔ）を提供する。使用時において、すきまばめは、複数の板バネ１１２がロックされていない位置において細長い部材１１８に沿って進められる場合、基端側の平坦な領域１６８が、該細長い部材１１８の周囲にて整合していないか、又は傾くことを回避する。可撓性本体１１８の先端側の平坦な領域１７０は複数の板バネ１１２の先端を貫通する開口部を同様に含み、該開口部は、装置がロック位置又はロックされていない位置のいずれにある場合にもすきまばめを提供し、板バネ１１２の先端部の位置が整合していない状態を回避する。
【００２４】
本明細書に記載された任意の実施形態において、中心ブッシング１７２は、板バネ１２、１１２が細長い部材に対して中央に配置されることを更に確実にするために使用され得る。図５の実施形態において、例えば、複数の板バネ１１２は管状シャフト領域１７４からなる中心ブッシング１７２を含み、該管状シャフト領域１７４は基端側の平坦な領域１６８を貫通するように形成された開口部内にて嵌合するように構成された外径と、細長い部材１１８を摺動可能に受承するように構成された内径とを有する。図６に示されるフランジ領域１７６は、中心ブッシング１７２を基端側の平坦領域１６８に嵌合固定するために使用され得る。
【００２５】
図６は複数の板バネ１１２の部分断面図であり、細長い部材１１８に沿ったロックされていない位置における該複数の板バネ１１２を示す。図６に示されるロックされていない位置において、複数の細長い領域１６６は細長い部材１１８の長手軸に対してより大きな角度にて整合され、各開口部１６２の円周部と細長い部材１１８の外面との間に小さな間隙１７８を形成する。
【００２６】
図７に示されるロック位置において、細長い領域１６６はその自然な状態に長手方向に伸張し、かつ該細長い部材１１８と摩擦的に係合する。各細長い領域１６６は先端又は基端方向のいずれかに交互に傾斜し、該細長い部材１１８の長手軸に更に平行となる方向に対応する開口部１６２を配向する。複数の板バネ１１２の伸張を引き起こす開口部１６２の整合における変化は、各開口部１６２の円周部と細長い部材１１８の外面との間にて数組の接触領域１８０を形成する。使用時において、接触領域１８０は細長い部材１１８を把持し、該細長い部材１１８が開口部１６２を貫通して移動することを回避する。
【００２７】
図８を参照すると、本発明の別の例示的な実施形態に従う固定機構２１０は、塞栓保護フィルタ２３６を使用する治療処置の状況において記載される。固定機構２１０は図５乃至７に関して上記したものと同様の複数の板バネ２１２からなるが、該複数の板バネ２１２を塞栓保護フィルタ２３６の支持管２４４に連結する先端側の平坦な領域２７０において接合部２８２を更に含む。接合部２８２は、はんだ付け、溶接、ロウ付け、接着剤又はその他の適切な結合方法により形成され、細長い部材２１８において回動可能及び／又は摺動可能であり得る。
【００２８】
患者の血管内を貫通して折り畳まれた位置にて塞栓保護フィルタ２３６を移送するために使用される送達シース２８４は、該フィルタ膜２３６を拡大した位置にて基端側に後退した状態にて示される。内側係止管２８６は複数の板バネ２１２と塞栓保護フィルタ２３６とを体内に配置された細長い部材２１８（例えば、ガイドワイヤ）に沿って進めるために使用される。内側係止管２８６は基端領域（図示しない）と、先端領域２８８と、細長い部材２１８を摺動可能に受承されるべく構成された内腔２９０とを有する。内側係止管２８６の先端セグメント２９２は内腔２９０の一部内に複数の板バネ２１２を束縛するために構成された拡大した内径を有する。内側係止管２８６の係止タブ２９４は外向きに屈曲するように構成され、かつ送達シース２８４の内面と係合し、複数の板バネ２１２をロックされていない位置に維持する。
【００２９】
複数の板バネ２１２を係合し、かつ塞栓保護フィルタ２３６を細長い部材２１８に解放可能に固定するために、内側係止管２８６は基端側に後退され、図９に示されるように、該複数の板バネ２１２を自然な状態（即ち、圧縮されていない状態）に復帰する。複数の板バネ２１２が細長い部材２１８に係合すると、該内側係止管２８６及び送達シース２８４は細長い部材２１８に沿って基端側に後退され、体内から取り除かれる。
【００３０】
図１０に示される代替的な方法において、内側係止管２８６は送達シース２８４が基端側に後退される間はそのままの状態にて保持される。送達シース２８４が後退されると、先端セグメント２９２の先端２８８において係止タブ２９４が外方向に屈曲し、内側係止管２８６の基端方向への後退を可能にする。次いで、内側係止管２８６及び送達シース２８４は細長い部材２１８に沿って基端側に後退され、かつ所望に応じて、患者の体内から取り除かれる。
【図面の簡単な説明】
【００３１】
【図１】本発明の例示的な実施形態に従う固定機構の斜視図であり、該固定機構は単一の板バネからなる。
【図２】図１の線２−２に沿った板バネの図である。
【図３】細長い部材に沿った、ロックされていない位置にある板バネを示す部分断面図である。
【図４】細長い部材に沿った、ロック位置にある板バネを示す部分断面図である。
【図５】本発明の別の例示的な実施形態に従う固定機構の斜視図であり、該固定機構は複数の板バネからなる。
【図６】細長い部材に沿った、ロックされていない位置にある複数の板バネを示す部分断面図である。
【図７】細長い部材に沿った、ロック位置にある複数の板バネを示す部分断面図である。
【図８】本発明の例示的な実施形態に従う内側係止管及び送達シースの部分断面図である。
【図９】基端側に後退された内側係止管を示す、図８の内側係止管及び送達シースの別の部分断面図である。
【図１０】基端側に後退された送達シースを示す、図８の内側係止管及び送達シースの別の部分断面図である。
【図１】
2006521876.tif 000003
【図２】
2006521876.tif 000004
【図３】
2006521876.tif 000005
【図４】
2006521876.tif 000006
【図５】
2006521876.tif 000007
【図６】
2006521876.tif 000008
【図７】
2006521876.tif 000009
【図８】
2006521876.tif 000010
【図９】
2006521876.tif 000011
【図１０】
2006521876.tif 000012
【国際調査報告】
2006521876.tif 000013
2006521876.tif 000014